(57)【要約】      （修正有）【課題】お玉、返し具、油切り等の調理具本体の側面に把手先端挿入固定部を一体的に形成し、ここに把手先端部を着脱自在に装着した、多様な使い勝手と収納し易いクッキングツールを提供する。【解決手段】お玉、返し具、油切り等の調理具本体の側面に把手先端挿入固定部２を一体的に形成し、該把手先端挿入固定部に把手先端部３５を着脱自在に構成する。把手先端挿入固定部の挿入孔と、挿入される把手先端部との間にガタが生じないように、把手先端挿入固定部の挿入孔のテーパー角度と把手先端部のテーパー角度が同じ角度に形成する。且つ、把手先端挿入固定部の挿入孔に把手先端部が挿入されると、把手杆３２に固定されたバネ部材３４の先端部が把手先端部に当接され、一旦挿入した把手先端部の抜け防止となり、また、調理具本体から把手先端部を抜くときは、バネ部材を押圧して抜け防止を解除して抜け易くする。【選択図】図３
0003166693.tif 000002
【実用新案登録請求の範囲】
【請求項１】
お玉、返し具、油切り等の調理具本体の側面に把手先端挿入固定部を一体的に形成し、該把手先端挿入固定部に把手先端部を着脱自在に構成したことを特徴とするクッキングツール。
【請求項２】
把手先端挿入固定部の挿入孔と、挿入される把手先端部との間にガタが生じないように、把手先端挿入固定部の挿入孔のテーパー角度と把手先端部のテーパー角度が同じ角度に形成されていることを特徴とする請求項１記載のクッキングツール。
【請求項３】
把手先端挿入固定部の挿入孔に把手先端部が挿入されると、把手杆に固定されたバネ部材の先端部が把手先端部に当接され、一旦挿入した把手先端部の抜け防止となっており、調理具本体から把手先端部を抜くときは、バネ部材を押圧して抜け防止を解除して抜易くしたことを特徴とする請求項１記載のクッキングツール。
【考案の詳細な説明】
【技術分野】
【０００１】  本考案はクッキングツールに関し、特に各種の調理具本体に対して着脱自在の調理具用把手を有するクッキングツールであって、挿着時にはガタが生じることなく強固に固定され、不使用時には容易に取り外すこともでき、多様な使い勝手と収納し易いクッキングツールを提供するものである。
【背景技術】
【０００２】  従来、多種類の料理に適合するそれぞれ多種の調理用器具が開発されており、多種類の調理用器具は料理に合った工夫がなされている。
例えば、実用新案登録第３１６１１７９「調理器具お玉」や、実公平８−８７５８「折畳みお玉」、特開２００５−６６２９１「調理用裏返し具」、実開平５−７４４４３「アク掬い具」、登録実用新案第３０３４４５８「煮汁のアク取り具」等の公報が発行されている。
【先行技術文献】
【０００３】
【特許文献１】  実用新案登録第３１６１１７９「調理器具お玉」
【特許文献２】  実公平８−８７５８「折畳みお玉」
【特許文献３】  特開２００５−６６２９１「調理用裏返し具」
【特許文献４】  実開平５−７４４４３「アク掬い具」
【特許文献５】  登録実用新案第３０３４４５８「煮汁のアク取り具」
【考案の概要】
【考案が解決しようとする課題】
【０００４】  特許文献１の実用新案登録第３１６１１７９「調理器具お玉」では、お玉部及びこれに一体のお玉用柄からなり、お玉用柄に鍋縁引っ掛け部を備えたものが提案されている。【０００５】  特許文献２の実公平８−８７５８「折畳みお玉」では、把手の長さを調節したり折り畳めるようにして収納し易くしたお玉が提案されている。【０００６】  特許文献３の特開２００５−６６２９１「調理用裏返し具」では、把手端部にヘラ部を設けた返し具本体と押え板付き操作棒とがバネを介在させて、焼き魚等の調理品を調理の最中に裏返すことのできる調理用裏返し具が提案されている。【０００７】  特許文献４の実開平５−７４４４３「アク掬い具」では、把手の一端にアクの掬い取り部を設け、この掬い取り部に掬い取りフィルターを着脱自在に取付けたアク掬い具が提案されている。【０００８】  また、特許文献５の登録実用新案第３０３４４５８「煮汁のアク取り具」では、把手部先端の椀状網体の掬い部に着脱自在のスポンジ体を挿嵌する煮汁のアク取り具が提案されている。【０００９】  しかしながら前記せる調理具は、いずれも調理具本体と一体的な把手を有し、追加機能を付与するものであるが、各種の調理具本体に対して着脱自在の調理具用把手を有するクッキングツールでとして調理方法に合わせた複数の調理具本体を組み合わせて使用できるものではなかった。
【課題を解決するための手段】
【００１０】  このような課題を解決するために鋭意研究の結果考案された本考案のクッキングツールは、多様な使い勝手と収納し易いクッキングツールであって以下のような特徴を有する。すなわち、お玉、返し具、油切り等の調理具本体の側面に把手先端挿入固定部を一体的に形成し、該把手先端挿入固定部に把手先端部を着脱自在に構成したことを特徴とし、把手先端挿入固定部の挿入孔と、挿入される把手先端部との間にガタが生じないように、把手先端挿入固定部の挿入孔のテーパー角度と把手先端部のテーパー角度が同じ角度に形成されていることを特徴とし、且つ、把手先端挿入固定部の挿入孔に把手先端部が挿入されると、把手杆に固定されたバネ部材の先端部が把手先端部に当接され、一旦挿入した把手先端部の抜け防止となっており、調理具本体から把手先端部を抜くときは、バネ部材を押圧して抜け防止を解除して抜易くしたことを特徴とするクッキングツールである。
【考案の効果】
【００１１】  本考案は以上説明したような構成であるので、特に各種の調理具本体に対して着脱自在の調理具用把手を有するクッキングツールであって、多様な使い勝手と収納もし易いクッキングツールである。
【図面の簡単な説明】
【００１２】
【図１】  調理具本体の斜視図である。
【図２】  調理具用把手の斜視図である。
【図３】  調理具用把手をお玉に取付けた断面図である。
【図４】  従来の把手付き調理具をキャビネット内に収納した略示断面図である。
【図５】  把手先端挿入固定部を取り付けた返し具の斜視図である。
【図６】  把手先端挿入固定部を取り付けた油切り具の斜視図である。
【考案を実施するための形態】
【００１３】  お玉本体１、返し具本体１２、油切り本体１３等の調理具本体の側面には把手先端挿入固定部２が一体的に形成され、把手先端挿入固定部２に調理具用把手３の把手先端部３５を着脱自在に構成する。
【００１４】  把手先端挿入固定部２の挿入孔２１と、挿入される把手先端部３５との間にガタが生じないように、把手先端挿入固定部２の挿入孔２１のテーパー角度θと把手先端部３５のテーパー角度θが同じ角度に形成されている。
【００１５】  把手先端挿入固定部２の挿入孔２１に把手先端部３５が挿入されると、図３に示すように把手杆３２に固定されたバネ部材３４の先端部が把手先端部３５に当接され、これによって、一旦挿入した把手先端部３５の抜け防止となっている。
【００１６】  把手杆３２には固定部３６でバネ部材３４の基部が固定されており、他端はＬ字型に形成され、その先端は把手杆３２に設けられたスリット３３に挿通可能に形成されている。
【００１７】  したがって、把手先端挿入固定部２から把手先端部３５を抜くときは、図３の矢印Ａに示すようにバネ部材３４を押圧して抜け防止を解除して容易に抜くことができる。
【００１８】  図４に従来の調理具の収納状態を示してあるが、キャビネット４の引出し４１にお玉等を収納するとき、従来のお玉５１と従来の把手５２が固定されているので、引出し４１を矢印Ａの方向へ引きだすと、矢印Ｂの個所で従来のお玉５１がキャビネット４の内側にぶつかるので、収納や取出しが不便であった。
【００１９】  これに対し、本考案ではお玉、返し具、油切り等の調理具本体の側面に把手先端挿入固定部を一体的に形成し、該把手先端挿入固定部に把手先端部を着脱自在に構成してあるので、収納時には調理具本体と調理具用把手３を分離して収納することができる。
【００２０】  また、図５乃至図６に示すように、多種類の調理具本体に把手先端挿入固定部２を設けておけば、本考案のクッキングツールは多種類の調理具本体に応用することができる。
【産業上の利用可能性】
【００２０】  本考案は以上説明したような構成であるので、クッキングツールとして多様な使い勝手が可能であり、収納もし易いので、利用可能性の高いものである。
【符号の説明】
【００２２】  １  お玉本体
１２  返し具本体
１３  油切り本体
２  把手先端挿入固定部
２１  挿入孔
３  調理具用把手
３１  握持部
３２  把手杆
３３  スリット
３４  バネ部材
３５  把手先端部
３６  固定部
４  キャビネット
４１  引出し
５１  従来のお玉
５２  従来の把手
【図１】
0003166693.tif 000003
【図２】
0003166693.tif 000004
【図３】
0003166693.tif 000005
【図４】
0003166693.tif 000006
【図５】
0003166693.tif 000007
【図６】
0003166693.tif 000008